【事件の表示】
　平成１１年特許願第２１７７７１号「プリント発注納品システム及び方法、ディジタルカメラ、登録装置、プリント発注用端末装置並びにプリントシステム」拒絶査定不服審判事件〔平成１３年　２月１６日出願公開、特開２００１−　４２４４２〕について、次のとおり審決する。
【結　論】
　本件審判の請求は、成り立たない。
【理　由】
１．手続の経緯・本願発明
　本願は、平成１１年７月３０日の出願であって、平成１５年６月１８日付けで拒絶査定がなされ、これに対し平成１５年７月２２日に拒絶査定に対する審判請求がなされるとともに、平成１５年８月２１日付けで手続補正がなされたものであって、その特許請求の範囲の請求項１０に係る発明（以下、「本願発明」という。）は、平成１５年８月２１日付け手続補正書により補正された明細書及び図面の記載からみて、その特許請求の範囲の請求項１０に記載された次のとおりのものと認める。　
「画像を電子的に取り込むディジタルカメラ又は当該ディジタルカメラから取り出された記録媒体から、ユーザ情報と対応付けられて当該ディジタルカメラに予め付与された固有の識別コードのデータでなる識別データ及び上記画像を電子的に取り込むことにより得られた画像データを読み出す読み出し手段と、
　上記画像のプリントを注文するに際しての注文内容を入力するための入力手段と、
　上記ディジタルカメラ又は上記記録媒体から読み出した上記画像データ及び上記識別データ、並びに上記注文内容を表す注文データを上記プリントの受注側に送信する送信手段と
　を具えることを特徴とするプリント発注用端末装置。」
　
２．引用例
　原査定の拒絶の理由に引用された、本願の出願前である平成１１年６月２２日に頒布された特開平１１−１６８６８４号公報（以下、「引用例１」という。）には、次の事項が記載されている。
（１）「【特許請求の範囲】
【請求項１】  ディジタル画像情報を作成するディジタルカメラと、このディジタルカメラからの注文情報を受信してプリント処理を行うプリント装置とを備えたプリントシステムであって、
前記ディジタルカメラは、前記ディジタル画像情報に対応させてプリント情報を付与して注文情報を生成するプリント情報付与手段と、データの送受信を行う送受信手段とを備え、
前記プリント装置は、前記ディジタルカメラから注文情報を受信する受信手段と、該受信した注文情報に基づいてプリントするプリント手段と、情報の表示を行う表示手段と、この受信した注文情報に基づいて受付状況の情報を生成し、該受付状況の情報を前記表示手段に表示させる制御手段とを備えたことを特徴とするプリントシステム。」
（２）「【００４６】図１は本発明の実施の形態のディジタルカメラ１００の全体の電気的な概略構成を示す機能ブロック図である。この図１に示すディジタルカメラ１００において、レンズ１，開口絞り２等で構成された光学系を介して得られた光画像は、ＣＣＤ等の撮像素子３の受光面に結像される。また、このとき、このレンズ１及び開口絞り２は、それぞれフォーカス駆動回路１６及び絞り駆動回路１５により駆動される。
【００４７】ここで、撮像素子３は受光面に結像された光画像を電荷量に光電変換し、ＣＣＤ駆動回路１９からの転送パルスによってアナログの画像信号を出力する。なお、ＣＣＤ駆動回路１９は撮像素子３を駆動すると共に、シャッタ速度の制御を行うことが可能である。
【００４８】撮像素子３から出力されたアナログの画像信号は、プリプロセス回路４においてＣＤＳ（相関二重サンプリング）処理でノイズが低減され、またＡＧＣにより利得の調整が行われ、ダイナミックレンジ拡大のためのニー処理などが行われる。
【００４９】そして、Ａ／Ｄ変換器５によってディジタル画像信号に変換された後、信号処理回路６で輝度処理や色処理が施されてディジタルビデオ信号（例えば、輝度信号（Ｙ）と色差信号（Ｃｒ，Ｃｂ）からなるディジタルデータ）に変換されて、メモリコントローラ７に出力される。
【００５０】また、この信号処理回路６からは画像表示部１８にディジタルビデオ信号が出力されており、撮像素子３で撮像している画像や、後述する記憶手段からの再生画像を画像表示部１８に画像表示することが可能に構成されている。なお、画像表示部１８には、画像の他に、各種情報の表示も行える。
【００５１】これらの機能切り替えは、メインマイコン８とのデータ交換により行なわれ、必要に応じて撮像素子信号の露出情報やフォーカス信号、白バランス情報をメインマイコン８へ出力することもできる。」
（３）「【００６１】レリーズＳＷ３１は画像記録の指示がなされるレリーズスイッチであり、この選択はサブマイコン１４に供給される。プリント情報入力部３２はプリント情報（プリントする画像を指定するプリント指定情報と、プリントするサイズを設定するプリントサイズ情報と、プリントする枚数を設定するプリント枚数情報と、プリント仕上げに関するプリント仕上げ情報、など）についての設定と入力とを行うプリント情報付与手段である。
【００６２】注文ボタン３３は押下に伴って送信開始信号を発する送信開始手段であり、この送信開始信号によってプリント情報とディジタル画像情報とが、後述するように外部に送信される。
【００６３】４０は赤外線や電波などでデータを送受信する送受信ユニットであり、前述した送信開始信号によってプリント情報とディジタル画像情報とを外部に送信し、また、外部からの情報を受信する。」
（４）「【００６５】ここで、図３及び図４を用いて注文受付装置を構成するラボ２００について説明する。このラボ２００は、ユーザからの注文の受付けを行う注文カウンタ２１０と、注文に従ってディジタル画像情報をプリントアウトするプリント装置２２０とを備えている。
【００６６】ここで、注文カウンタ２１０は、図１及び図２に示したディジタルカメラ１００を載置するテーブルとしての役目を果たしており、ディジタルカメラ１００の送受信ユニット４０と対向する位置には受注用送受信ユニット２１１が配置されている。この受注用送受信ユニット２１１で受信した注文情報はプリント装置２２０に供給される。また、注文を受けた際にユーザに渡す引換券（注文請証）を発行する引換券発行部２１２を備えている。
【００６７】プリント装置２２０は注文情報に従ってプリントを実行するもので、外部にプリントが出力されるプリント出口２２１を備えている。また、装置全体を制御するメインマイコン２２２が設けられており、このメインマイコン２２２の制御のもとで、プリントを出力するプリンタ２２３と、受付状況の情報に関するメッセージを表示する表示部２２４が設けられている。」
（５）「【００７７】また、ユーザが作成したプリント情報とディジタル画像情報とを含んだ状態の情報を注文情報とすることで、ラボ２００において該注文情報を送信することで正確な受付けを行うことが可能になる。
【００７８】また、この段階でユーザが作成できるプリント情報としては、プリントする画像を指定するプリント指定情報、プリントするサイズを設定するプリントサイズ情報、プリントする枚数を設定するプリント枚数情報、プリント仕上げに関するプリント仕上げ情報、などが該当する。」
（６）「【０１１４】なお、ディジタルカメラ１００に予めユーザ情報の設定がなされている場合にはそのユーザ情報に含まれる電話番号など（プリントの依頼者を呼び出すことが可能な電話番号，ページャ番号などの情報：以下、呼び出し情報と言う）、ディジタルカメラ１００にそのような設定がなされていない場合にはプリント情報の作成の際にメニューに従って入力される呼び出し情報を、プリント情報の一部として、注文情報と共にラボ２００に送信する。」
（７）「【０１２１】また、上述した注文情報に関し、ディジタルカメラの状態に関する状態情報をメインマイコン８が生成し、この情報を注文情報に含めることができる。そして、この状態情報を、ディジタルカメラの状態が変化する毎、一定時間毎などに注文情報に含めて送信する。そして、プリント装置２２０側のメインマイコン２２２が、この状態情報を解析する構成であるとする。
【０１２２】なお、この状態情報としては、
・外部電源接続の有無に関する情報，
・画像表示のオン／オフ、および表示のためのバックライトのオン／オフの状態に関する情報，
・電池の種類（マンガン，アルカリ，ニッカド，ニッケル水素，リチウムなど）に関する情報，
・電池の本数に関する情報，
・電池の残量に関する情報，
・画像表示部１８での表示の有無（オン／オフ）に関する情報，
・ディジタルカメラ固有の識別番号に関する情報，
・使用者の識別番号に関する情報，
・消費している電力に関する情報（画像表示のオン／オフ、および表示のためのバックライトのオン／オフの状態に関する情報を含む），
・ディジタルカメラでの警告表示に関する情報，
・最大通信速度に関する情報，
・動作可能時間に関する情報，
のいずれか一つ、または複数の組合わせが考えられる。」
  
　これらの記載により、引用例１には、「画像をディジタル画像信号に変換するディジタルカメラから、当該ディジタルカメラに予め設定されたユーザ情報に含まれる識別番号、及び上記画像をディジタル画像信号に変換することにより作成されたディジタル画像情報を受信する受注用送受信ユニットであって、
　上記ディジタルカメラから受信した上記ディジタル画像情報及び上記電話番号、並びに注文情報をプリント装置に送信する受注用送受信ユニット、
　を具えることを特徴とする注文カウンタ。」（以下、「引用発明」という。）が開示されている。
　
３．対比
　そこで、本願発明と引用発明とを対比すると、引用発明の「画像をディジタル画像信号に変換する」は本願発明の「画像を電子的に取り込む」に、引用発明の「ディジタルカメラ」は本願発明の「ディジタルカメラ又は当該ディジタルカメラから取り出された記録媒体」に、引用発明の「ユーザ情報に含まれる」は本願発明の「ユーザ情報と対応付けられて」に、引用発明の「設定された」は本願発明の「付与された」に、引用発明の「識別番号」は本願発明の「識別データ」に、引用発明の「作成された」は本願発明の「得られた」に、引用発明の「ディジタル画像情報」は本願発明の「画像データ」に、引用発明の「受信する受注用送受信ユニット」は本願発明の「読み出す読み出し手段」に、引用発明の「ディジタルカメラから」は本願発明の「ディジタルカメラ又は記録媒体から」に、引用発明の「受信した」は本願発明の「読み出した」に、引用発明の「注文情報」は本願発明の「注文内容を表す注文データ」に、引用発明の「プリント装置に」は本願発明の「プリントの受注側に」に、引用発明の「送信する受注用送受信ユニット」は本願発明の「送信する送信手段」に、それぞれ相当する。
　そして、引用発明の「注文カウンタ」は、上述の対応関係から明らかなように、その機能を総合的に見れば、本願発明の「プリント発注用端末装置」に相当するものと言える。したがって、両者は、
「画像を電子的に取り込むディジタルカメラ又は当該ディジタルカメラから取り出された記録媒体から、ユーザ情報と対応付けられて当該ディジタルカメラに予め付与された識別データ及び上記画像を電子的に取り込むことにより得られた画像データを読み出す読み出し手段と、
　上記ディジタルカメラ又は上記記録媒体から読み出した上記画像データ及び上記識別データ、並びに注文内容を表す注文データを上記プリントの受注側に送信する送信手段と
　を具えることを特徴とするプリント発注用端末装置。」
である点で一致し、以下の点で相違している。
［相違点１］ユーザ情報と対応付けられて当該ディジタルカメラに予め付与された識別データに関して、本願発明が、固有の識別コードのデータでなるのに対して、引用発明は識別番号である点。
［相違点２］本願発明が、上記画像のプリントを注文するに際しての注文内容を入力するための入力手段を具えるのに対して、引用発明はそのような限定がない点。
　
４．判断
［相違点１］について
　引用発明の識別番号は、使用者の固有の識別コードのデータということもでき、それ以外に、バーコード等、ユーザを特定するために固有の識別コードを用いることは慣用手段であるので、相違点１に係る構成は格別のものではない。
　
［相違点２］について
　引用発明においても注文内容をプリントの受注側に送信するものである。そして、画像のプリントを注文するに際しての注文内容を入力するための入力手段を具えることは、周知の事項（例えば、特開平７−２６１２７９号公報段落００１７、特開平１０−７８６１９号公報段落００４７〜００５２等参照。）であるから、引用発明において、相違点２に係る構成とすることは、当業者が容易に想到し得た事項である。
　
　そして、本願発明による作用効果も、引用発明及び周知の事項から当業者が容易に予測できる範囲のものである。
　
　なお、請求人は、平成１５年８月２１日付け手続補正書において、「これに対してプリント発注者の識別コードとしてプリント発注側自身が発行した識別コードを利用する場合には、かかる問題が生じる可能性はほとんどなく、また識別コードの発行年月日や、発行した登録装置が設置されている地域等に応じた識別コードを付与するようにすることで、ユーザ管理をより容易にかつ詳細に行い得る利点がある。」と主張するが、特許請求の範囲の請求項１０に記載された事項に基づく主張ではなく、しかも、登録装置によりユーザ管理を行うことは周知の事項であるので、請求人の前記主張は採用できない。
　
５．むすび
　以上のとおり、本願発明は、引用例１に記載された発明及び周知の事項に基づいて、当業者が容易に発明をすることができたものであるから、特許法第２９条第２項の規定により特許を受けることができない。
　よって、結論のとおり審決する。